(57)【要約】【課題】  化粧材受け板の上下に設けたスリットに対し、軒先化粧材を一体化した状態で一括して取付け可能にすること。【解決手段】  建物の軒先部を外側から覆うようにして軒先化粧材２０を化粧材受け板１０に固定するに際し、軒先化粧材２０の内面に設けた上下の突起２１Ｆ、２２Ｅを、化粧材受け板１０の上下に設けたスリット１１、１２に係入して取着する軒先化粧材２０の固定構造において、化粧材受け板１０に設ける上下のスリット１１、１２の方向を同一にするもの。【選択図】  図１
2005171522.tif 000002
【特許請求の範囲】
【請求項１】
建物の軒先部を外側から覆うようにして軒先化粧材を化粧材受け板に固定するに際し、
軒先化粧材の内面に設けた上下の突起を、化粧材受け板の上下に設けたスリットに係入し
て取着する軒先化粧材の固定構造において、
化粧材受け板に設ける上下のスリットの方向を同一にすることを特徴とする軒先化粧材
の固定構造。
【請求項２】
前記化粧材受け板の上下の複数位置に、軒先化粧材の水平目地の目地底が面的に当接し
得る複数の取付面を設け、意匠の異なる各軒先化粧材のための取付面として上記の複数の
取付面のいずれかを選択可能にする請求項１に記載の軒先化粧材の固定構造。
【発明の詳細な説明】
【技術分野】
【０００１】
本発明は軒先化粧材の固定構造に関する。
【背景技術】
【０００２】
特許文献１に記載の如く、建物の軒先部を外側から覆うようにして軒先化粧材を化粧材
受け板に固定するに際し、軒先化粧材の内面に設けた上下の突起を、化粧材受け板の上下
に設けたスリットに係入して取着するものがある。
【特許文献１】特開2002-106128
【発明の開示】
【発明が解決しようとする課題】
【０００３】
特許文献１の軒先化粧材の固定構造では、化粧材受け板に設けた上下のスリットの方向
を異にしている。このため、上側軒先化粧材の上スリットへの差し込み方向と、下側軒先
化粧材の下スリットへの差し込み方向が相違するものになり、上側軒先化粧材と下側軒先
化粧材を一体化した状態で一括して取付けできず、生産性が悪い。
【０００４】
本発明の課題は、化粧材受け板の上下に設けたスリットに対し、軒先化粧材を一体化し
た状態で一括して取付け可能にすることにある。
【課題を解決するための手段】
【０００５】
請求項１の発明は、建物の軒先部を外側から覆うようにして軒先化粧材を化粧材受け板
に固定するに際し、軒先化粧材の内面に設けた上下の突起を、化粧材受け板の上下に設け
たスリットに係入して取着する軒先化粧材の固定構造において、化粧材受け板に設ける上
下のスリットの方向を同一にするようにしたものである。
【０００６】
請求項２の発明は、請求項１の発明において更に、前記化粧材受け板の上下の複数位置
に、軒先化粧材の水平目地の目地底が面的に当接し得る複数の取付面を設け、意匠の異な
る各軒先化粧材のための取付面として上記の複数の取付面のいずれかを選択可能にするよ
うにしたものである。
【発明の効果】
【０００７】
（請求項１）
(a)化粧材受け板に設けた上下のスリットの方向を同一にした。従って、軒先化粧材の
上突起の上スリットへの差し込み方向と、下突起の下スリットへの差し込み方向が同一に
なり、軒先化粧材を上下一体化した状態で一括して取付けでき、生産性を向上できる。
【０００８】
（請求項２）
(b)化粧材受け板の前面に設けた複数の取付面のいずれかを、意匠の異なる各軒先化粧
材のための取付面として選択することにより、単一の化粧材受け板を用いながら、意匠の
異なる軒先化粧材を取付けできる。軒先化粧材の水平目地の目地底を化粧材受け板のいず
れかの取付面に取付けるものであり、リベット等の取付具が外観上目立たず、美観を向上
できる。
【発明を実施するための最良の形態】
【０００９】
図１は第１軒先化粧材の固定構造を示す断面図、図２は第２軒先化粧材の固定構造を示
す断面図、図３は化粧材受け板を示し、（Ａ）は側面図、（Ｂ）は前面図、（Ｃ）は背面
図である。
【実施例】
【００１０】
図１、図２は、建物の天井梁等にボルト止め等した庇アーム１の先端部に化粧材受け板
１０の下端部を溶接、ボルト止め等にて固定し、意匠の異なる第１軒先化粧材２０と第２
軒先化粧材３０を化粧材受け板１０に選択的に取付け可能にしたものである。
【００１１】
化粧材受け板１０は、図３に示す如く、金属板の折り曲げ成形体であり、前面の上下２
位置に、斜め上向きの互いに同一方向（平行）に沿う上下のスリット１１、１２を備える
。また、化粧材受け板１０は、前述の上下複数位置に、折曲げ片からなる取付面１３Ａ、
１３Ｂ、１３Ｃ、１３Ｄ、１３Ｅを備える。また、化粧材受け板１０は、上面と下面のそ
れぞれに、折曲げ片からなる取付面１４、１５を備える。また、化粧材受け板１０は、前
面の取付面１３Ａの下部に、起立可能な折曲げ片からなるストッパ片１６を備える。
【００１２】
尚、上スリット１１は、化粧材受け板１０の取付面１３Ｃの上端部（取付面１３Ｂとの
段差部）から斜め上向きに設けられる。下スリット１２は、化粧材受け板１０の下面の取
付面１３Ｅに近接する隅部から斜め上向きに設けられる。
【００１３】
第１軒先化粧材２０は、図１に示す如く、上側の記載化粧材２１と、上側軒先化粧材２
１の下部の下側軒先化粧材２２と、上側軒先化粧材２１の上部の頭部化粧材２３に３分さ
れている。但し、上側軒先化粧材２１と下側軒先化粧材２２、又は上側軒先化粧材２１と
下側軒先化粧材２２と頭部化粧材２３は一体成形されるものでも良い。
【００１４】
第２軒先化粧材３０は、図２に示す如く、上側軒先化粧材３１と、上側軒先化粧材３１
の下部の下側軒先化粧材３２と、上側軒先化粧材３１の上部の頭部化粧材３３に３分され
ている。但し、上側軒先化粧材３１と下側軒先化粧材３２、又は上側軒先化粧材３１と下
側軒先化粧材３２と頭部化粧材３３は一体成形されるものでも良い。
【００１５】
以下、化粧材受け板１０に対する第１軒先化粧材２０と第２軒先化粧材３０の固定構造
について説明する。
【００１６】
（Ａ）第１軒先化粧材２０の固定構造
上側軒先化粧材２１は、湾曲状正面板２１Ａの下端に設けた水平板２１Ｂの先端部に、
下側軒先化粧材２２の上端側に設けられる嵌合突部２２Ｄが嵌合する凹部２１Ｃを備える
とともに、水平板２１Ｂの先端部から上向きに延びる取付片２１Ｄを備える。また、上側
軒先化粧材２１は、正面板２１Ａの中間部の内面にＬ形リブ２１Ｅ（水平部及び鉛直部）
を備えるとともに、リブ２１Ｅの水平部と鉛直部の交差部から斜め上向きに波形状に成形
されて延びる上突起２１Ｆを備える。また、上側軒先化粧材２１は、上端側の内面に屈曲
状リブ２１Ｇを備えるとともに、その上端部に、頭部化粧材２３の下端部に設けられる凹
部２３Ｃが嵌合する嵌合突部２１Ｈを備える。尚、上側軒先化粧材２１は、正面板２１Ａ
、水平板２１Ｂ、凹部２１Ｃ、取付片２１Ｄ、リブ２１Ｅ、上突起２１Ｆ、リブ２１Ｇ、
嵌合突部２１Ｈを全長に通しで備える。
【００１７】
下側軒先化粧材２２は、湾曲状正面板２２Ａの上端に設けた水平板２２Ｂの先端部から
上向きに延びる取付片２２Ｃを備えるとともに、取付片２２Ｃの中間部に嵌合突部２２Ｄ
を突設して備える。また、下側軒先化粧材２２は、正面板２２Ａの中間部の内面から斜め
上向きに波形状に成形されて延びる下突起２２Ｅを備える。下突起２２Ｅは、上側軒先化
粧材２１と下側軒先化粧材２２が化粧材受け板１０に固定された状態で、上側軒先化粧材
２１の上突起２１Ｆと同一方向をなす。尚、下側軒先化粧材２２は、正面板２２Ａ、水平
板２２Ｂ、取付片２２Ｃ、嵌合突部２２Ｄ、下突起２２Ｅを全長に通しで備える。
【００１８】
頭部化粧材２３は、正面板２３Ａの上端部に概ね水平に折曲げられた取付片２３Ｂを備
える。また、頭部化粧材２３は、正面板２３Ａの下端部に凹部２３Ｃを備える。尚、頭部
化粧材２３は、正面板２３Ａ、取付片２３Ｂ、凹部２３Ｃを全長に通しで備える。
【００１９】
従って、第１軒先化粧材２０は以下の手順で化粧材受け板１０に取付けられる。
(1)上側軒先化粧材２１と下側軒先化粧材２２を一体化する。上側軒先化粧材２１の下
端部の凹部２１Ｃに、下側軒先化粧材２２の上端部の嵌合突部２２Ｄを嵌合し、上側軒先
化粧材２１の取付片２１Ｄと下側軒先化粧材２２の取付片２２Ｃをリベット２４で接合し
て一体化する。
【００２０】
(2)上側軒先化粧材２１と下側軒先化粧材２２の上述(1)の一体物を化粧材受け板１０の
斜め下方から持ち上げ、上側軒先化粧材２１の上突起２１Ｆを化粧材受け板１０の上スリ
ット１１に差し込み（リブ２１Ｅの水平部は取付面１３Ｃと取付面１３Ｂの段差面に当接
する）、同時に、下側軒先化粧材２２の下突起２２Ｅを化粧材受け板１０の下スリット１
２に差し込む。このとき、上側軒先化粧材２１の取付片２１Ｄ、リブ２１Ｅの鉛直部、リ
ブ２１Ｇはそれぞれ、化粧材受け板１０の取付面１３Ｄ、１３Ｃ、１３Ａのそれぞれに添
設する。また、下側軒先化粧材２２の取付片２２Ｃは、化粧材受け板１０の取付面１３Ｄ
に添設する。
【００２１】
(3)化粧材受け板１０のストッパ片１６を起立させ（図１）、化粧材受け板１０の取付
面１３Ａに添設されている上側軒先化粧材２１のリブ２１Ｇの下縁をストッパ片１６にて
支える。
【００２２】
(4)上側軒先化粧材２１と下側軒先化粧材２２の水平板２１Ｂ、２２Ｂに挟まれる水平
目地２５の目地底を構成する、下側軒先化粧材２２の取付片２２Ｃを化粧材受け板１０の
取付面１３Ｄに面的に当接させる状態で、リベット２６にて固定する。
【００２３】
(5)頭部化粧材２３の凹部２３Ｃを上側軒先化粧材２１の嵌合突部２１Ｈに上方から嵌
合し、頭部化粧材２３の取付片２３Ｂを化粧材受け板１０の取付面１４に面的に当接させ
る状態で、リベット２７にて固定する。
【００２４】
(6)化粧材受け板１０の取付面１５に軒天受材２８をリベット２９で固定する。
【００２５】
（Ｂ）第２軒先化粧材３０の固定構造
上側軒先化粧材３１は、階段状正面板３１Ａの下端に設けた水平板３１Ｂの先端部に、
下側軒先化粧材３２の上端側に設けた嵌合突部３２Ｄが嵌合する凹部３１Ｃを備えるとと
もに、水平板３１Ｂの先端部から上向きに延びる取付片３１Ｄを備える。また、上側軒先
化粧材３１は、正面板３１Ａの中間部をかぎ形部３１Ｅ（水平部及び鉛直部）とするとと
もに、かぎ形部３１Ｅの水平部と鉛直部の交差部から斜め上向きに波形状に成形されて延
びる上突起３１Ｆを備える。また、上側軒先化粧材３１は、上端側の内面に屈曲状リブ３
１Ｇを備えるとともに、その上端部に、頭部化粧材３３の下端部に設けた凹部３３Ｃを嵌
合する嵌合突部３１Ｈを備える。尚、上側軒先化粧材３１は、正面板３１Ａ、水平板３１
Ｂ、凹部３１Ｃ、取付片３１Ｄ、かぎ形部３１Ｅ、上突起３１Ｆ、リブ３１Ｇ、嵌合突部
３１Ｈを全長に通しで備える。
【００２６】
下側軒先化粧材３２は、湾曲状正面板３２Ａの上端に設けた水平板３２Ｂから上向きに
延びる取付片３２Ｃを備えるとともに、取付片３２Ｃの中間部に嵌合突部３２Ｄを突設し
て備える。また、下側軒先化粧材３２は、水平部３２Ｂの先端部から斜め上向きに波板状
に成形されて延びる下突起３２Ｅを備える。下突起３２Ｅは、上側軒先化粧材３１と下側
軒先化粧材３２が化粧材受け板１０に固定された状態で、上側軒先化粧材３１の上突起３
１Ｆと同一方向をなす。尚、下側軒先化粧材３２は、正面板３２Ａ、水平部３２Ｂ、取付
片３２Ｃ、嵌合突部３２Ｄ、下突起３２Ｅを全長に通しで備える。
【００２７】
頭部化粧材３３は、正面板３３Ａの上端部に概ね水平に折曲げられた取付片３３Ｂを備
える。また、頭部化粧材３３は、正面板３３Ａの下端部に凹部３３Ｃを備える。尚、頭部
化粧材３３は、正面板３３Ａ、取付片３３Ｂ、凹部３３Ｃを全長に通しで備える。
【００２８】
従って、第２軒先化粧材３０は以下の手順で化粧材受け板１０に取付けられる。
(1)上側軒先化粧材３１と下側軒先化粧材３２を一体化する。上側軒先化粧材３１の下
端部の凹部３１Ｃに、下側軒先化粧材３２の上端部の嵌合突部３２Ｄを嵌合し、上側軒先
化粧材３１の取付片３１Ｄと下側軒先化粧材３２の取付片３２Ｃをリベット３４で接合し
て一体化する。
【００２９】
(2)上側軒先化粧材３１と下側軒先化粧材３２の上述(1)の一体物を、化粧材受け板１０
の斜め下方から持ち上げ、上側軒先化粧材３１の上突起３１Ｆを化粧材受け板１０の上ス
リット１１に差し込み（かぎ形部３１Ｅの水平部は取付面１３Ｃと取付面１３Ｂの段差面
に当接する）、同時に、下側軒先化粧材３２の下突起３２Ｅを化粧材受け板１０の下スリ
ット１２に差し込む。このとき、上側軒先化粧材３１の取付片３１Ｄ、かぎ形部３１Ｅ、
リブ３１Ｇはそれぞれ、化粧材受け板１０の取付面１３Ｅ、１３Ｃ、１３Ａのそれぞれに
添設する。また、下側軒先化粧材３２の取付片３２Ｃは、化粧材受け板１０の取付面１３
Ｅに添設する。
【００３０】
(3)化粧材受け板１０のストッパ片１６を起立させ（図２）、化粧材受け板１０の取付
面１３Ａに添設されている上側軒先化粧材３１のリブ３１Ｇの下縁をストッパ片１６にて
支える。
【００３１】
(4)上側軒先化粧材３１のかぎ形部３１Ｅの水平部の直下の鉛直部を化粧材受け板１０
の取付面１３Ｃに面的に当接させる状態で、リベット３６Ａにて固定する。また、上側軒
先化粧材３１と下側化粧材３２の水平板３１Ｂ、正面板３２Ａの水平部３２Ｂに挟まれる
水平目地３５の目地底を構成する、下側軒先化粧材３２の取付片３２Ｃを化粧材受け板１
０の取付面１３Ｅに面的に当接させる状態で、リベット３６Ｂにて固定する。
【００３２】
(5)頭部化粧材３３の凹部３３Ｃを上側軒先化粧材３１の嵌合突部３１Ｈに上方から嵌
合し、頭部化粧材３３の取付片３３Ｂを化粧材受け板１０の取付面１４に面的に当接させ
る状態で、リベット３７にて固定する。
【００３３】
(6)化粧材受け板１０の取付面１５に軒天受材２８をリベット２９で固定する。
【００３４】
本実施例によれば以下の作用効果を奏する。
(a)化粧材受け板１０に設けた上下のスリット１１、１２の方向を同一にした。従って
、軒先化粧材２０（又は３０）の上突起２１Ｆ（又は３１Ｆ）の上スリット１１への差し
込み方向と、下突起２２Ｅ（又は３２Ｅ）の下スリット１２への差し込み方向が同一にな
り、軒先化粧材２０（又は３０）を上下一体化した状態で一括して取付けでき、生産性を
向上できる。
【００３５】
(b)化粧材受け板１０の前面に設けた複数の取付面１３Ａ〜１３Ｅのいずれかを、意匠
の異なる各軒先化粧材２０、３０のための取付面として選択することにより、単一の化粧
材受け板１０を用いながら、意匠の異なる軒先化粧材２０、３０を取付けできる。軒先化
粧材２０、３０の水平目地２５（又は３５）の目地底を化粧材受け板１０のいずれかの取
付面１３Ｄ（又は１３Ｅ）に取付けるものであり、リベット２６（又は３６Ｂ）等の取付
具が外観上目立たず、美観を向上できる。
【００３６】
尚、化粧材受け板１０のスリット１１、１２は斜め状にすることを必須としないが、斜
め状にすることで、コーナー部材（出隅等）を取付け容易にすることができる。
【００３７】
以上、本発明の実施例を図面により記述したが、本発明の具体的な構成はこの実施例に
限られるものではなく、本発明の要旨を逸脱しない範囲の設計の変更等があっても本発明
に含まれる。
【図面の簡単な説明】
【００３８】
【図１】図１は第１軒先化粧材の固定構造を示す断面図である。
【図２】図２は第２軒先化粧材の固定構造を示す断面図である。
【図３】図３は化粧材受け板を示し、（Ａ）は側面図、（Ｂ）は前面図、（Ｃ）は背面図である。
【符号の説明】
【００３９】
１０  化粧材受板
１１  上スリット
１２  下スリット
１３Ａ、１３Ｂ、１３Ｃ、１３Ｄ、１３Ｅ  取付面
２０、３０  軒先化粧材
２１Ｆ、３１Ｆ  上突起
２２Ｅ、３２Ｅ  下突起３３
２５、３５  水平目地
【図１】
2005171522.tif 000003
【図２】
2005171522.tif 000004
【図３】
2005171522.tif 000005